(57)【要約】      （修正有）【課題】本発明は、スリット付き可変側溝を使用する場合においても、インバートコンクリートをスムーズにしかも確実容易に現場打ちすることが出来、もってそれぞれの現場に適したインバートコンクリート、ひいては優良な可変側溝が作製できる可変側溝及び可変側溝敷設工法を提供する。【解決手段】本発明は、断面略門型状をなす可変側溝本体と可変側溝本体の下部に敷設される現場打設型インバートコンクリートとを備え、上壁には上下方向に貫通する方形状の作業用孔が予め穿設され、作業用孔には孔を塞ぐ上壁部分構成ブロックが、作業用孔からのインバートコンクリート打設後に嵌め込まれ、上壁と接続されて一体化されることを特徴とする。【選択図】                図１
2006144470.tif 000002
【特許請求の範囲】
【請求項１】
断面略門型状をなす可変側溝本体と、該可変側溝本体の下部に敷設される現場打設型インバートコンクリートとを備え、
前記上壁には上下方向に貫通する方形状の作業用孔が予め穿設され、該作業用孔には該孔を塞ぐ上壁部分構成ブロックが、前記作業用孔からのインバートコンクリート打設後に嵌め込まれ、上壁と接続されて一体化されることを特徴とする可変側溝。
【請求項２】
断面略門型状をなす可変側溝本体と、該可変側溝本体の下部に敷設される現場打設型インバートコンクリートとを備え、
前記可変側溝本体の上壁には幅方向略中央に直線状の上下方向に貫通するスリットが長手方向に向かって設けられると共に、長手方向側には前記スリットの間隔を保持して繋げた断面略凹状をなす間隔保持部兼水導入路が形成された可変側溝であり、
前記上壁には上下方向に貫通する方形状の作業用孔が予め穿設され、該作業用孔には該孔を塞ぐ上壁部分構成ブロックが、前記作業用孔からのインバートコンクリート打設後に嵌め込まれ、上壁と接続されて一体化されることを特徴とする可変側溝。
【請求項３】
前記作業用孔を塞ぐ上壁部分構成ブロックには、前記可変側溝本体の上壁に設けられたスリットと略同一直線上に存するスリットが設けられると共に、前記スリットの間隔を保持して繋げた断面略凹状をなす間隔保持部兼水導入路が形成された、
ことを特徴とする請求項２記載の可変側溝。
【請求項４】
前記上壁部分構成ブロックの外周面には接着剤注入溝が設けられると共に、該接着剤注入溝に連通する接着剤塗布溝が前記外周面に設けられた、
ことを特徴とする請求項１、請求項２または請求項３記載の可変側溝。
【請求項５】
前記接着剤注入溝及び／または接着剤注入溝に連通する接着剤塗布溝は、前記上壁部分構成ブロックの外周面が対向する可変側溝の作業用孔側の外面に設けられた、
ことを特徴とする請求項１、請求項２、請求項３または請求項４記載の可変側溝。
【請求項６】
掘削した箇所に基礎コンクリートを打設した後、前記請求項１、請求項２、請求項３、請求項４または請求項５記載の可変側溝を前記基礎コンクリート上に載置し、次いで前記可変側溝の上壁に予め形成された作業用孔からインバートコンクリート用のコンクリートを打設し、その後、前記作業用孔に上壁部分構成ブロックを嵌め込んで固着一体化した、
ことを特徴とする可変側溝の敷設工法。
【発明の詳細な説明】
【技術分野】
【０００１】
本発明は、例えば道路の脇などに敷設される可変側溝及びその敷設工法に関するものである。
【背景技術】
【０００２】
従来、特開平１０−１４０６４１号公報に記載されているように、可変側溝について多くの特許出願がなされ、多くの特許も取得されている。
【０００３】
しかしながら、その可変側溝の多くは特にインバートコンクリートに関して施工現場で施工して作製するタイプのものである。
【０００４】
このようにインバートコンクリートを現場施工する際には、基礎コンクリートの上に可変側溝を載置し、その後可変側溝の上壁に設けられた穴部からインバートコンクリート用のモルタルを打設し、該インバートコンクリートを形成した後、前記の穴部に雨水収納用のグレーチング蓋あるいはコンクリート蓋を取り付けるものとしていた。
【０００５】
しかしながら、長年の使用により前記のグレーチング蓋あるいはコンクリート蓋が破損して離脱し、穴部が露出してしまったり、また前記グレーチング蓋あるいはコンクリート蓋と可変側溝上壁との取り付け箇所が破損してグレーチング蓋あるいはコンクリート蓋ががたついたりする課題があった。
【０００６】
そこで近年では鋼製のグレーチング蓋あるいはコンクリート蓋を使用せず、可変側溝の上壁幅方向略中央位置に直線状スリットを設け、該スリットを雨水の導入路としたスリット付き可変側溝が多く使用されている。
【０００７】
しかしながら、前記スリット付き可変側溝であると、前記のように基礎コンクリートを現場で打設後、スリット付き可変側溝を載置すると、該スリット付き可変側溝の上壁に穴部がないため、インバートコンクリートが打設出来ないものとなる。
【０００８】
よって、近年では前記インバートコンクリートについても工場で予め製造しておき、現場で打設した基礎コンクリート上に予め工場で製造したインバートコンクリートを固定し、その後に前記スリット付き可変側溝をインバートコンクリート間に嵌め込んで敷設していた。
しかしながら、重量のあるインバートコンクリートを現場まで運搬するのはコストの面からも好ましくはなく、さらに工場で予めインバートコンクリートを製造したときには、画一的な厚み、形状、幅のものとなり、それぞれの現場に適したインバートコンクリート、ひいては可変側溝が作製できないとの課題が生じていた。
【特許文献１】特開平１０−１４０６４１号公報
【発明の開示】
【発明が解決しようとする課題】
【０００９】
かくして本発明はかかる前記従来の課題に対処すべく創案されたものであり、スリット付き可変側溝を使用する場合においても、インバートコンクリートをスムーズにしかも確実容易に現場打ちすることが出来、もってそれぞれの現場に適したインバートコンクリート、ひいては優良な可変側溝が作製できるとの優れた可変側溝及び可変側溝敷設工法を提供することを目的とするものである。
【課題を解決するための手段】
【００１０】
本発明は、
断面略門型状をなす可変側溝本体と、該可変側溝本体の下部に敷設される現場打設型インバートコンクリートとを備え、
前記上壁には上下方向に貫通する方形状の作業用孔が予め穿設され、該作業用孔には該孔を塞ぐ上壁部分構成ブロックが、前記作業用孔からのインバートコンクリート打設後に嵌め込まれ、上壁と接続されて一体化されることを特徴とし、
または、
断面略門型状をなす可変側溝本体と、該可変側溝本体の下部に敷設される現場打設型インバートコンクリートとを備え、
前記可変側溝本体の上壁には幅方向略中央に直線状の上下方向に貫通するスリットが長手方向に向かって設けられると共に、長手方向側には前記スリットの間隔を保持して繋げた断面略凹状をなす間隔保持部兼水導入路が形成された可変側溝であり、
前記上壁には上下方向に貫通する方形状の作業用孔が予め穿設され、該作業用孔には該孔を塞ぐ上壁部分構成ブロックが、前記作業用孔からのインバートコンクリート打設後に嵌め込まれ、上壁と接続されて一体化されることを特徴とし、
または、
前記作業用孔を塞ぐ上壁部分構成ブロックには、前記可変側溝本体の上壁に設けられたスリットと略同一直線上に存するスリットが設けられると共に、前記スリットの間隔を保持して繋げた断面略凹状をなす間隔保持部兼水導入路が形成された、
ことを特徴とし、
または、
前記上壁部分構成ブロックの外周面には接着剤注入溝が設けられると共に、該接着剤注入溝に連通する接着剤塗布溝が前記外周面に設けられた、
ことを特徴とし、
または、
前記接着剤注入溝及び／または接着剤注入溝に連通する接着剤塗布溝は、前記上壁部分構成ブロックの外周面が対向する可変側溝の作業用孔側の外面に設けられた、
ことを特徴とし、
または、
掘削した箇所に基礎コンクリートを打設した後、前記の可変側溝を前記基礎コンクリート上に載置し、次いで前記スリット付き可変側溝の上壁に予め形成された作業用孔からインバートコンクリート用のコンクリートを打設し、その後、前記作業用孔に上壁部分構成ブロックを嵌め込んで固着一体化した、
ことを特徴とするものである。
【発明の効果】
【００１１】
本発明による可変側溝及び可変側溝の敷設工法であれば、スリット付き可変側溝を使用する場合においても、インバートコンクリートをスムーズにしかも確実容易に現場打ちすることが出来、もってそれぞれの現場に適したインバートコンクリート、ひいては優良な可変側溝が作製できるとの優れた効果を奏する。
【発明を実施するための最良の形態】
【００１２】
以下本発明の実施例を図に基づいて説明する。
【００１３】
本発明による可変側溝１は断面略門型状をなすコンクリート製可変側溝本体２と、該可変側溝本体２の下部に敷設される現場打設型インバートコンクリート３とを備えている。
【００１４】
そして、当該可変側溝本体２の上壁４にはその幅方向略中央部に直線状に延び、かつ上下方向に貫通するスリット５が設けられていると共に、可変側溝本体２の長手方向両端側には前記スリット５の間隔を保持して繋げ、かつ前記スリット５の部分から折曲しないよう可変側溝本体２の強度を保持する間隔保持部兼水導入路６が設けられている。
【００１５】
しかも前記間隔保持部兼水導入路６は外部からの雨水などをスムーズにスリット５に導入し、さらに可変側溝内部に導入するよう断面略凹状をなして形成されている。
ここで、前記スリット５は可変側溝本体２の上壁４外側とその上壁４内部側とを連通して構成されており、上壁４表面の上側スリット開口より下側スリット開口に向かってはそのスリット開口幅が拡開された形で設けられている。
【００１６】
ところで本発明では、前記可変側溝本体２の上壁４に上下方向に貫通する長方形状の大きな作業用孔７が予め穿設されている。
【００１７】
該作業用孔７の形成方法については何ら限定されるものではないが、一般には可変側溝本体２形成用型枠を改良して前記作業用孔７をも形成できる型枠を付加し、この付加された作業孔形成型枠付き可変側溝本体２の形成型枠を使用することが考えられる。
【００１８】
尚、前記作業用孔７は図から理解されるように、上壁４の中央部から外側に向かってかなりの大きさで形成されており、特に作業用孔７の幅方向端部側にあってはその下側に可変側溝本体２の側脚８、８上面９、９が可視できる程度の大きさとされている。。
【００１９】
また、作業用孔７の外周面１０は上壁４の上部から下部に向かって急傾斜の下り勾配に形成しておくものとする。
【００２０】
そして、前記作業用孔７には該作業用孔７を塞ぐ上壁部分構成ブロック１１がインバートコンクリート打設後に嵌め込まれ、接続されて一体化されることとなる。
【００２１】
ここで、前記上壁部分構成ブロック１１には、前記可変側溝本体２の上壁４に設けられたスリット５に連通するスリット１２が設けられていると共に、このスリット１２の間隔を保持して繋げ、かつ前記スリット５の部分から折曲しないよう、やはり上壁部分構成ブロック１１の強度を保持すべく間隔保持部兼水導入路１３が形成されている。
【００２２】
しかも間隔保持部兼水導入路１３は、外部からの雨水などをスムーズに可変側溝内部に導入できるよう断面略凹状をなして形成されている。
【００２３】
ここで、上壁部分構成ブロック１１の外周面には外部から容易に接着剤が注入できるよう接着剤注入溝１４が設けられている。また該接着剤注入溝１４に連通する接着剤塗布溝１５が前記外周面全周にわたって設けられている。
しかして、前記接着剤注入溝１４あるいは接着剤塗布溝１５の詳細な取り付け位置は何ら限定されるものではなく、図に示すように、各種のパターンが考えられる。
【００２４】
さらに、前記接着剤注入溝１４あるいは接着剤塗布溝１５を上壁部分構成ブロック１１側ではなく、可変側溝本体２の側に形成しても構わないものである。
【００２５】
以上において、本発明による可変側溝の施工方法につき説明する。
【００２６】
まず、現場において可変側溝１を敷設すべき箇所を掘削する。次いで掘削した箇所に基礎コンクリート１６を打設した後、本発明によるスリット付き可変側溝１をその打設した基礎コンクリート１６上に載置する。
【００２７】
その後、前記スリット付き可変側溝１の上壁４に形成された作業用孔７からインバートコンクリート３用のコンクリートを打設する。
【００２８】
この際、前述したように作業用孔７はかなり大きく、もって可変側溝１の内部を上方からよく見通すことが出来、インバートコンクリート３用のコンクリート打設作業が行いやすいものとなっている。
【００２９】
また、可変側溝1の敷設箇所によっては可変側溝本体内部に打設する形成するインバートコンクリート３の厚みを幅方向両端側で変えたり、あるいは
幅方向中央位置に水路用溝を形成したりしなければならないことがあるが、そのような場合にもスムーズに作業を行うことが出来る。        
インバートコンクリート３の打設作業が終了した後に、前記作業用孔７に上壁部分構成ブロック１１を嵌め込む。
【００３０】
従来のように鉄製のグレーチング蓋あるいはコンクリート蓋などを作業用孔７に取り付けるのではなく、上壁４に通常のスリット５しか孔のないスリット付き可変側溝１にするのである。
【００３１】
従って、作業用孔７に上壁部分構成ブロック１１を嵌め込んだ後、接着剤注入溝１４から例えばスラリー状モルタルなどの接着剤を注入する。
【００３２】
しかして、前記接着剤注入溝１４には図から理解されるように、上壁部分構成ブロック１１の外周面にわたって設けられた接着剤塗布溝１５が連通しており、前記接着剤注入溝１４に例えばスラリー状モルタルなどの接着剤を注入すると、該接着剤は接着剤塗布溝１５全体にわたって塗布されるものとなる。
【００３３】
尚、接着剤注入溝１４及び接着剤塗布溝１５の双方あるいは接着剤注入溝１４か接着剤注入溝に連通する接着剤塗布溝１５のいずれかは、上壁部分構成ブロック１１の外周面が対向する可変側溝１の作業用孔７側の外周面にも設けることができる。
【００３４】
尚、図７から図１８に本発明の他の実施例を挙げて説明する。
【００３５】
図７、図８から理解されるように、作業用孔７は上面側より下面側に向かって大形となるよう、いわゆる逆テーパ状に形成され、かつ該作業用孔７に嵌め込まれる上壁構成ブロック１１の外周面も上面側から下面側に向かってテーパを有するよう形成されている。
【００３６】
これにより、隙間に注入されるスラリー状モルタルなどの接着剤などがいわゆるモルタルくさびの機能を果たし、前記上壁構成ブロック１１の上方離脱を完璧に防止することが出来る。尚、図８等に示すように本発明は上壁４にスリット５を有しないタイプの可変側溝にも適用される。
【００３７】
また、図９、図１０の様な形状の接着剤注入溝１４及び接着剤塗布溝１５に形成すればやはりスラリー状モルタルなどの接着剤などがいわゆるモルタルくさびの機能を果たし、前記上壁構成ブロック１１の上方離脱を防止することが出来る。
【００３８】
さらに、図１１、図１２では作業用孔７に上壁構成ブロック１１を強固にかみ合わせ、一層上壁構成ブロック１１が上方離脱しないよう構成したものである。るすなわち、図１１に示す例では図８と同様に、作業用孔７を上面側より下面側に向かって大形となるよう、いわゆる逆テーパ状に形成し、かつ該作業用孔７に嵌め込まれる上壁構成ブロック１１の外周面も上面側から下面側に向かってテーパを有するよう形成している。
【００３９】
ただ、図８と異なるところは、上壁構成ブロック１１を幅方向へ向かって短く形成し、作業用孔７の一方側へ寄せて設置すると共に、図１１から理解されるように、他方側に生ずる大きな隙間に隙間ブロック１７を嵌め込んだりあるいは隙間モルタルを注入したりし、強固なかみ合わせとしてある。
【００４０】
次に、作業用孔７の外周面と上壁構成ブロック１１の外周面にそれぞれ図１５から図１８に示す形状に形成し、それらの隙間に隙間モルタルを注入して、図７から図１２に示す例と同様に強固なかみ合わせとして、上壁構成ブロック１１が上方へ離脱しないように形成してある。
【００４１】
さらに、図９、図１０のバリエーションとして図１３、図１４の様に接着剤注入溝１４を形成することが考えられる。
【図面の簡単な説明】
【００４２】
【図１】本発明による可変側溝を一部断面にして説明する構成説明図（その１）である。
【図２】本発明による可変側溝を一部断面にして説明する構成説明図（その２）である。
【図３】上壁部分構成ブロックの構成を説明する構成説明図（その１）である。
【図４】可変側溝本体への上壁部分構成ブロックのはめ込み状態を説明する説明図である。
【図５】本発明による可変側溝の構成を説明する構成説明図（平面図）である。
【図６】上壁部分構成ブロックの構成を説明する構成説明図（その２）である。
【図７】本発明による可変側溝の他の構成を説明する構成説明図（その１）である。
【図８】本発明による可変側溝の他の構成を説明する構成説明図（その２）である。
【図９】本発明による可変側溝の他の構成を説明する構成説明図（その３）である。
【図１０】本発明による可変側溝の他の構成を説明する構成説明図（その４）である。
【図１１】本発明による可変側溝の他の構成を説明する構成説明図（その５）である。
【図１２】本発明による可変側溝の他の構成を説明する構成説明図（その６）である。
【図１３】本発明による可変側溝の他の構成を説明する構成説明図（その７）である。
【図１４】本発明による可変側溝の他の構成を説明する構成説明図（その８）である。
【図１５】本発明による可変側溝の他の構成を説明する構成説明図（その９）である。
【図１６】本発明による可変側溝の他の構成を説明する構成説明図（その１０）である。
【図１７】本発明による可変側溝の他の構成を説明する構成説明図（その１１）である。
【図１８】本発明による可変側溝の他の構成を説明する構成説明図（その１２）である。
【符号の説明】
【００４３】
１    可変側溝  
２    可変側溝本体
２    インバートコンクリート
３    スリット
４    上壁
５    スリット
６    間隔保持杆兼導入路
７    作業用孔
８    側脚
９    側脚上面
１０    作業用孔の外周面
１１    上壁部分構成ブロック
１２    スリット
１３    間隔保持杆兼導入路
１４    接着剤注入溝
１５    接着剤塗布溝
１６    基礎コンクリート
１７    隙間ブロック
【図１】
2006144470.tif 000003
【図２】
2006144470.tif 000004
【図３】
2006144470.tif 000005
【図４】
2006144470.tif 000006
【図５】
2006144470.tif 000007
【図６】
2006144470.tif 000008
【図７】
2006144470.tif 000009
【図８】
2006144470.tif 000010
【図９】
2006144470.tif 000011
【図１０】
2006144470.tif 000012
【図１１】
2006144470.tif 000013
【図１２】
2006144470.tif 000014
【図１３】
2006144470.tif 000015
【図１４】
2006144470.tif 000016
【図１５】
2006144470.tif 000017
【図１６】
2006144470.tif 000018
【図１７】
2006144470.tif 000019
【図１８】
2006144470.tif 000020